(57)【要約】  端末装置は、受信部と、送信部と、制御部とを有する。受信部は、信号の送信に関する情報を受信する。送信部は、第１の信号と第２の信号とを送信する。制御部は、第１の信号と前記第２の信号との送信タイミングが重なった場合に、前記情報を参照して前記第２の信号方法を制御する。その結果、第１の信号及び第２の信号の送信効率の向上を図る。
2020110267.tif 000002
【特許請求の範囲】
【請求項１】
信号の送信に関する情報を受信する受信部と、
第１の信号と第２の信号を送信する送信部と、
前記第１の信号と前記第２の信号との送信タイミングが重なった場合に、前記情報を参照して前記第２の信号の送信方法を制御する制御部と
を有することを特徴とする端末装置。
【請求項２】
前記情報は、送信電力に関する閾値情報を含み、
前記制御部は、
前記第１の信号の送信電力値と前記第２の信号の送信電力値との和と、前記閾値情報に応じて、前記第２の信号の送信方法を制御することを特徴とする請求項１に記載の端末装置。
【請求項３】
前記制御部は、
当該端末装置の最大送信電力値と前記第１の信号に関わる送信電力値との差分で前記第２の信号に関わる送信電力値を差し引き、差し引き後の電力値に基づき、前記第２の信号の送信方法を制御することを特徴とする請求項１に記載の端末装置。
【請求項４】
前記制御部は、
前記差し引き後の電力値と、前記情報とを比較し、前記第２の信号の送信方法を制御することを特徴とする請求項２に記載の端末装置。
【請求項５】
端末装置と、当該端末装置と無線通信する基地局装置とを有する無線システムであって、
前記端末装置は、
前記基地局装置から信号の送信に関する情報を受信する受信部と、
第１の信号と第２の信号とを送信する送信部と、
前記第１の信号と前記第２の信号との送信タイミングが重なった場合に、前記情報を参照して前記第２の信号の送信方法を制御する制御部と
を有することを特徴とする無線システム。
【請求項６】
端末装置と無線通信する基地局装置であって、
前記端末装置からの無線信号を測定する測定部と、
前記測定の結果に対応する無線信号処理内容毎に、前記端末装置からの信号の送信に関する情報を生成する生成部と、
前記情報を前記端末装置に送信する送信部と
を有することを特徴とする基地局装置。
【請求項７】
前記無線信号処理内容は、変調の種類と符号化率に関するものであることを特徴とする請求項６に記載の基地局装置。
【発明の詳細な説明】
【技術分野】
【０００１】
本発明は、端末装置、無線システム及び基地局装置に関する。
【背景技術】
【０００２】
３ＧＰＰ（Third  Generation  Partnership  Project）の５Ｇ（Generation）無線システムでは、基地局と端末装置との間の無線区間で、超低遅延かつ超高信頼伝送が要求される高優先データや、伝送要件が比較的緩やかな通常データが同時に送信される状況がある。尚、高優先データとしては、例えばＵＲＬＬＣ（Ultra-Reliable  and  Low  Latency  Communications）等のデータである。【０００３】
ＬＴＥ（Long  Term  Evolution）では、例えば、キャリアアグリゲーションにより、基地局と一つの端末装置との間で複数のデータを同時送信することが可能となる。しかしながら、端末装置から基地局に対して複数のデータを同時送信する場合、端末装置の送信電力不足が発生する可能性がある。従って、端末装置では、送信電力量が不足した場合、同じ優先度を有するデータ間で端末装置の送信電力量を均等分配する、又は、いくつかのデータの送信をとりやめる機能が仕様化されている。
【先行技術文献】
【特許文献】
【０００４】
【特許文献１】国際公開第２０１２／０６００６７号
【特許文献２】特開２０１２−２１６９６８号公報
【発明の概要】
【発明が解決しようとする課題】
【０００５】
端末装置が高優先データと通常データとを同時送信する場合に、高優先データの送信電力量と通常データの送信電力量との和が端末装置の最大送信電力量を超過する場合がある。そこで、端末装置は、高優先データ及び通常データの送信電力量の和が最大送信電力量を超過した場合、高優先データ及び通常データの送信電力量を均等分配して高優先データ及び通常データを送信する場合が考えられる。しかしながら、高優先データ及び通常データの送信電力量が共に低下し、両方のデータ送信が失敗する場合も考えられる。【０００６】
また、端末装置は、高優先データの送信電力量のみを送信電力量を減らすことなく送信し、通常データの送信を保留する場合もある。しかしながら、通常データの送信機会が失われ、余剰の送信電力が無駄となる。つまり、高優先データ及び送信データの送信効率が低下する。【０００７】
一つの側面では、データの送信効率の向上を図る端末装置等を提供することを目的とする。
【課題を解決するための手段】
【０００８】
一つの態様の端末装置は、受信部と、送信部と、制御部とを有する。受信部は、信号の送信に関する情報を受信する。送信部は、第１の信号と第２の信号を送信する。制御部は、前記第１の信号と前記第２の信号との送信タイミングが完全に又は部分的に重なった場合に、前記情報を参照して前記第２の信号の送信方法を制御する。
【発明の効果】
【０００９】
一つの態様では、第１の信号及び第２の信号の送信効率の向上が図れる。
【図面の簡単な説明】
【００１０】
【図１】図１は、本実施例の無線システムの一例を示す説明図である。
【図２】図２は、基地局のハードウェア構成の一例を示すブロック図である。
【図３】図３は、基地局の機能構成の一例を示すブロック図である。
【図４】図４は、調整閾値を決定する際のＭＣＳの誤り率−受信ＳＩＲ特性の一例を示す説明図である。
【図５】図５は、ＭＣＳ−ＳＩＲテーブルの一例を示す説明図である。
【図６】図６は、端末装置の機能構成の一例を示すブロック図である。
【図７】図７は、端末装置のハードウェア構成の一例を示すブロック図である。
【図８】図８は、端末装置が通常データ及び高優先データを同時送信する際の判定処理に関わる送信電力量の一例を示す説明図である。
【図９】図９は、端末装置が通常データ及び高優先データの同時送信ＯＫ時の送信電力量の一例を示す説明図である。
【図１０】図１０は、端末装置が通常データ及び高優先データの同時送信ＮＧ時の送信電力量の一例を示す説明図である。
【図１１】図１１は、決定処理に関わる基地局の処理動作の一例を示すフロー図である。
【図１２】図１２は、判定処理に関わる基地局及び端末装置の処理動作の一例を示すシーケンス図である。
【図１３】図１３は、判定処理に関わる端末装置の処理動作の一例を示すフロー図である。
【発明を実施するための形態】
【００１１】
以下、図面に基づいて、本願の開示する端末装置、無線システム及び基地局装置の実施例を詳細に説明する。尚、各実施例により、開示技術が限定されるものではない。また、以下に示す各実施例は、矛盾を起こさない範囲で適宜組み合わせても良い。
【実施例】
【００１２】
図１は、本実施例の無線システム１の一例を示す説明図である。図１に示す無線システム１は、基地局２と、基地局２と無線通信する複数の端末装置３とを有する。無線システム１は、例えば、５Ｇの無線システムである。端末装置３は、例えば、スマートフォンやタブレット等の携帯端末である。【００１３】
図２は、基地局２のハードウェア構成の一例を示すブロック図である。図２に示す基地局２は、ＮＩＦ（Network  Interface）回路１１と、複数のアンテナ素子１２と、無線処理回路１３と、記憶装置１４と、ＬＳＩ(Large  Scale  Integration)１５と、プロセッサ１６とを有する。ＮＩＦ回路１１は、他の基地局２と接続するコアネットワークとの間の有線通信を司るインタフェース（ＩＦ）回路である。無線処理回路１３は、アンテナ素子１２を通じて、端末装置３との間の無線通信を司るＩＦ回路である。記憶装置１４は、各種情報を記憶する装置である。ＬＳＩ１５は、各種制御を実行する回路である。プロセッサ１６は、基地局２全体を制御する。【００１４】
図３は、基地局２の機能構成の一例を示すブロック図である。基地局２内の無線処理回路１３は、受信部２１と、復号部２２と、符号化部２３と、送信部２４とを有する。受信部２１は、アンテナ素子１２経由で端末装置３との間の無線信号を受信する。復号部２２は、受信部２１にて受信した無線信号を復号化する。符号化部２３は、送信部２４に送信する無線信号を符号化する。送信部２４は、符号化部２３にて符号化された無線信号をアンテナ素子１２経由で端末装置３に送信する。【００１５】
無線処理回路１３は、誤り率算出部３１と、目標誤り率設定部３２と、誤り率差分算出部３３と、測定部３４と、受信ＳＩＲ算出部３５と、受信ＳＩＲ平均化部３６と、目標ＳＩＲ設定部３７と、ＳＩＲ差分算出部３８とを有する。基地局２のＬＳＩ１５は、ＴＰＣコマンド決定部３９と、適用ＭＣＳ特定部４０と、適用ＭＣＳ決定部４１と、ＵＬグラント情報生成部４２と、制御情報生成部４３と、送信信号生成部４４とを有する。記憶装置１４は、ＭＣＳ−ＳＩＲテーブル４５を有する。誤り率算出部３１は、無線信号から誤り率を算出する。目標誤り率設定部３２は、事前に設定した目標誤り率を設定する。誤り率差分算出部３３は、誤り率算出部３１にて算出した現在の誤り率と目標誤り率との差分を算出する。測定部３４は、端末装置３からの無線信号（パイロット信号、参照信号、ランダムアクセス信号等）に対し信号電力値（Signal  Power）及び干渉電力値（Interference  Power）の測定を行なう。受信ＳＩＲ算出部３５は、信号電力値及び干渉電力値に基づき、受信ＳＩＲ（Signal  to  Interference  Ratio）を算出する。受信ＳＩＲ平均化部３６は、受信ＳＩＲ算出部３５にて算出した受信ＳＩＲを平均化する。目標ＳＩＲ設定部３７は、誤り率差分に対応した目標ＳＩＲを設定する。ＳＩＲ差分算出部３８は、受信ＳＩＲ平均化部３６からの受信ＳＩＲと、目標ＳＩＲとの差分を算出する。ＴＰＣコマンド決定部３９は、ＳＩＲ差分算出部３８からのＳＩＲ差分に基づき、端末装置３に対する送信電力量を制御するための送信電力制御量（Transmission  Power  Control）を制御する。【００１６】
適用ＭＣＳ特定部４０は、受信ＳＩＲ平均化部３６からの受信ＳＩＲに対応するＭＣＳ値候補をＭＣＳ−ＳＩＲテーブル４５から特定する。尚、ＭＣＳ（Modulation  and  coding  scheme）は、変調方式及び符号化率の複数の組み合わせから成るセットであり、各組み合わせに対しインデックス値が割当てられる。適用ＭＣＳ決定部４１は、特定された複数のＭＣＳ値候補から、端末装置３の送信データのサイズ情報、端末装置３の利用可能な無線リソースブロック情報及び端末装置３の許容最大電力量（余剰電力）に基づき、適用ＭＣＳ値を決定する。ＵＬグラント情報生成部４２は、適用ＭＣＳ決定部４１にて決定された適用ＭＣＳ値に基づき、ＵＬグラント情報を生成する。ＵＬグラント情報は、例えば、上りリンク（Up  Link）の送信承認の情報である。制御情報生成部４３は、端末装置３の受信ＳＩＲに対応した調整閾値Ｋを生成し、調整閾値Ｋを含む制御情報を生成する。送信信号生成部４４は、ＵＬグラント情報や調整閾値Ｋ等を含む制御情報を含む送信信号を生成し、送信信号を符号化部２３に送信する。ＵＬグラント情報と調整閾値Ｋは異なる制御情報として互いに独立に処理し異なる送信信号として送信することは可能である。ＭＣＳ−ＳＩＲテーブル４５は、受信ＳＩＲ毎に適用可能なＭＣＳを管理するテーブルである。調整閾値Ｋは、端末装置３が高優先データ及び通常データを送信するタイミングが完全に又は部分的に重なり、高優先データの送信電力量と通常データの送信電力量との和が端末装置３側の最大送信電力量を超過した場合に使用する閾値である。調整閾値Ｋは、高優先データの送信を維持しながら、通常データの送信を保留するか否かを判定するための閾値である。【００１７】
図４は、調整閾値Ｋを決定する際のＭＣＳの誤り率−受信ＳＩＲの特性の一例を示す説明図である。図４に示す特性は、あるＭＣＳにおける誤り率と受信ＳＩＲとの特性である。図４に示すＳ１は、誤り率が目標値以下になるための受信ＳＩＲの最小値である。Ｓ２は、無線回線特性の時間変動を考慮して設定した誤り率が目標値以下になるための受信ＳＩＲの最小値である。Ｓ３は受信ＳＩＲの測定値である。Ｓ４はＳ３＋ΔＰの受信ＳＩＲである。尚、ΔＰは、基地局２が端末装置３に対して通知する送信電力調整値である。そして、調整閾値Ｋは、Ｓ４−Ｓ２で算出できる。【００１８】
図５は、ＭＣＳ−ＳＩＲテーブル４５の一例を示す説明図である。図５に示すＭＣＳ−ＳＩＲテーブル４５は、受信ＳＩＲ毎に適用するＭＣＳを管理し、ＭＣＳ毎に調整閾値Ｋを管理している。調整閾値Ｋは、ＭＣＳ毎のＳ４−Ｓ２の算出値である。例えば、ある端末装置３からの平均受信ＳＩＲが１０ｄＢ〜１５ｄＢの場合、基地局２は、当該端末装置３のデータの送信に対してＭＣＳ＃３を適用する。基地局２は、マージンを考慮して目標ＳＩＲを設定し、目標ＳＩＲ〜１５ｄＢの時にＭＣＳ＃３を適用する場合、端末装置３側でデータの送信電力量を最大でＫｄＢ下げても、受信ＳＩＲの低下量はＫｄＢ以下になる。そのため、ＭＣＳ＃３の適用最低条件のＳＩＲ＞１０ｄＢを維持できる。なお、ＭＣＳ値ごとにＫを設定せずに、ＭＣＳ値間で共通のＫを設定することも可能である。【００１９】
図６は、端末装置３のハードウェア構成の一例を示すブロック図である。図６に示す端末装置３は、アンテナ素子５１と、無線処理回路５２と、ＬＳＩ５３と、記憶装置５４と、プロセッサ５５とを有する。無線処理回路５２は、アンテナ素子５１を通じて、基地局２との間の無線通信を司るＩＦ回路である。ＬＳＩ５３は、各種制御を実行する回路である。記憶装置５４は、各種情報を記憶する装置である。プロセッサ５５は、端末装置３全体を制御する。【００２０】
図７は、端末装置３の機能構成の一例を示すブロック図である。図７に示す端末装置３内の無線処理回路５２は、受信部６１と、復号部６２と、符号化部６３と、送信部６４と、測定部６６とを有する。受信部６１は、アンテナ素子５１経由で基地局２との間の無線信号を受信する。復号部６２は、受信部６１にて受信した無線信号を復号処理する。符号化部６３は、送信部６４に送信する無線信号を符号化する。送信部６４は、符号化部６３にて符号化された無線信号をアンテナ素子５１経由で基地局２に送信する。測定部６６は、無線信号の受信電力を測定する。端末装置３内のＬＳＩ５３は、送信電力制御部６５と、送信電力算出部６７とを有する。送信電力算出部６７は、通常データの送信電力量（P  data）を算出すると共に、優先データの送信電力量（P  data  H）を算出する。送信電力制御部６５は、例えば、通常データと高優先データとの送信タイミングが完全に又は部分的に重なる場合、基地局２からの調整閾値Ｋに基づき、通常データの送信を保留するか否かを判定する。【００２１】
図８は、端末装置３が通常データ及び高優先データを同時送信する際の判定処理に関わる送信電力量の一例を示す説明図である。通常データと高優先データとの送信タイミングが完全に又は部分的に重なる場合、高優先データの送信電力量（P  data  H）と通常データの送信電力量（P  data）との和と、端末装置３側の最大送信電力量（Pcmax）とを比較する。高優先データの送信電力量は、端末装置３が高優先データを送信する際の送信電力量である。通常データの送信電力量は、端末装置３が通常データを送信する際の送信電力量である。最大送信電力量は、端末装置３が送信可能な最大送信電力量である。通常データの送信電力量（P  data）から余剰送信電力量（P  data’）を差し引いて、通常データの超過送信電力量Δ=(P  data)-(P  data’)を算出する。【００２２】
図９は、端末装置３が通常データ及び高優先データの同時送信ＯＫ時の送信電力量の一例を示す説明図である。例えば、最大送信電力量（Pcmax）が２３ｄＢｍ（２００ｍＷ）、高優先データの送信電力量（P  data  H）が２０．７９ｄＢｍ（１２０ｍｗ）、通常データの送信電力量（P  data）が２０ｄＢｍ（１００ｍＷ）とする。この際、通常データの超過送信電力量Δは、（P  data）-(P  data')=20dBm-19.03dBm=0.97dBとなる。端末装置３は、超過送信電力量Δが調整閾値Ｋ以下の場合、高優先データ及び通常データを同時に送信することができる。【００２３】
図１０は、通常データ及び高優先データの同時送信ＮＧ時の送信電力量の一例を示す説明図である。例えば、最大送信電力量（Pcmax）が２３ｄＢｍ（２００ｍＷ）、高優先データの送信電力量（P  data  H）が２０．７９ｄＢｍ（１２０ｍｗ）、通常データの送信電力量（P  data）が２２．５５ｄＢｍ（１８０ｍＷ）とする。この際、通常データの超過送信電力量Δは、（P  data）-(P  data')=22.55dBm-19.03dBm=3.52dBとなる。端末装置３は、超過送信電力量Δが調整閾値Ｋを超える場合、通常データの送信を保留し、高優先データのみを送信する。【００２４】
次に本実施例の無線システム１の動作について説明する。図１１は、決定処理に関わる基地局２の処理動作の一例を示すフロー図である。図１１において基地局２は、端末装置３からの無線信号（パイロット信号、参照信号、ランダムアクセス信号等）に対し信号電力値（Ｓ）及び干渉電力値（Ｉ）の測定を行なう（ステップＳ１１）。基地局２は、測定結果である信号電力値及び干渉電力値に基づき、受信ＳＩＲを算出する（ステップＳ１２）。基地局２は、算出した受信ＳＩＲに対応する適用可能なＭＣＳ値の候補をＭＣＳ−ＳＩＲテーブル４５から特定する（ステップＳ１３）。基地局２は、特定された適用可能なＭＣＳ値の候補の内、端末装置３の送信データ量、無線リソース量及び端末装置３の余剰送信電力量等に基づき、適用ＭＣＳ値を決定する（ステップＳ１４）。基地局２は、ＭＣＳ−ＳＩＲテーブル４５を参照し、端末装置３の余剰送信電力量に基づき、送信電力量の調整閾値Ｋを決定する（ステップＳ１５）。更に、基地局２は、調整閾値Ｋを決定した場合、決定した調整閾値Ｋを更新し（ステップＳ１６）、図１１に示す処理動作を終了する。【００２５】
基地局２は、端末装置３の受信ＳＩＲから適用可能なＭＣＳ値候補を特定し、ＭＣＳ値候補の中から、端末装置３の送信データ量、無線リソース量や余剰送信電力量に基づき、ＭＣＳ値を決定する。更に、基地局２は、特定されたＭＣＳ値の端末装置３の余剰送信電力量に基づき、ＭＣＳ値に対応した調整閾値Ｋを決定する。基地局２は、ＭＣＳ値毎の調整閾値Ｋを端末装置３に通知する。【００２６】
図１２は、判定処理に関わる基地局２及び端末装置３の処理動作の一例を示すシーケンス図である。基地局２は、ＭＣＳ−ＳＩＲテーブル４５を初期設定した場合（ステップＳ２１）、ＭＣＳ−ＳＩＲテーブル４５内の調整閾値Ｋを上位シグナリングで端末装置３に通知する（ステップＳ２２）。尚、基地局２は、調整閾値Ｋを上位層シグナリング（例えば、ＲＲＣシグナリング）で端末装置３に通知する場合を例示したが、低位層シグナリング（例えば、ＭＡＣシグナリング、Ｌａｙｅｒ１シグナリング、物理層シグナリング等）で調整閾値Ｋを端末装置３に通知しても良く、適宜変更可能である。【００２７】
端末装置３は、通常データ及び高優先データが発生した場合（ステップＳ２３，Ｓ２４）、通常データ用のＵＬ無線リソース割当要求及び高優先データ用のＵＬ無線リソース割当要求を基地局２に通知する（ステップＳ２５、Ｓ２６）。【００２８】
基地局２は、例えばＵＬ無線リソース割当要求信号やパイロット信号やランダムアクセス信号に対し信号電力値及び干渉電力値の測定を行ない、測定結果に基づき受信ＳＩＲを算出する（ステップＳ２７）。基地局２は、受信ＳＩＲに対応するＭＣＳ値を含む通常データ用ＵＬグラント信号を端末装置３に送信する（ステップＳ２８）。更に、基地局２は、受信ＳＩＲに対応するＭＣＳ値を含む高優先データ用ＵＬグラント信号を端末装置３に送信する（ステップＳ２９）。【００２９】
端末装置３は、基地局２からの通常データ用ＵＬグラント信号及び高優先データ用ＵＬグラント信号（送信許可、送信指示）を受信した場合、後述する判定処理を実行する（ステップＳ３０）。端末装置３は、判定処理の判定結果に基づき、高優先データ又は通常データを基地局２に送信する（ステップＳ３１）。【００３０】
また、基地局２は、端末装置３から例えばパイロット信号やランダムアクセス信号等を受信した場合（ステップＳ３２）、受信ＳＩＲに基づきＭＣＳ値を更新（ステップＳ３３）、更新したＭＣＳ値に対応した調整閾値を更新すべく、ＭＣＳ−ＳＩＲテーブル４５を更新する（ステップＳ３４）。基地局２は、ＭＣＳ−ＳＩＲテーブル４５内のＭＣＳ毎の調整閾値Ｋを更新した場合、調整閾値Ｋを端末装置３に送信し（ステップＳ３５）、図１２に示す処理動作を終了する。【００３１】
基地局２は、ＭＣＳ−ＳＩＲテーブル４５の初期設定又は更新設定した場合、ＭＣＳ毎の調整閾値Ｋを端末装置３に通知する。その結果、端末装置３は、ＭＣＳ毎の調整閾値Ｋを更新できる。なお、ＭＣＳ値ごとではなく、ＭＣＳ値間で共通のＫ値を通知してもよい。【００３２】
図１３は、送信判定処理に関わる端末装置３の処理動作の一例を示すフロー図である。図１３において端末装置３は、基地局２からＵＬグラント信号を受信したか否かを判定する（ステップＳ４１）。端末装置３は、基地局２からＵＬグラント信号を受信した場合（ステップＳ４１肯定）、送信タイミングが重なるデータがあるか否かを判定する（ステップＳ４２）。【００３３】
端末装置３は、送信タイミングが重なるデータがない場合（ステップＳ４２否定）、図１３に示す処理動作を終了する。端末装置３は、送信タイミングが完全に又は部分的に重なるデータがある場合（ステップＳ４２肯定）、重なるデータに高優先データがあるか否かを判定する（ステップＳ４３）。【００３４】
端末装置３は、重なるデータに高優先データがある場合（ステップＳ４３肯定）、通常データの送信電力量（P  data）及び高優先データの送信電力量（P  data  H）を算出する（ステップＳ４４）。端末装置３は、通常データの送信電力量（P  data）と高優先データの送信電力量（P  data  H）との和が最大送信電力量（Pcmax）以下であるか否かを判定する（ステップＳ４５）。【００３５】
端末装置３は、通常データの送信電力量と高優先データの送信電力量との和が最大送信電力量以下の場合（ステップＳ４５肯定）、通常データ及び高優先データ両方を送信出力し（ステップＳ４６）、図１３に示す処理動作を終了する。その結果、端末装置３は、通常データ及び高優先データを同時に送信できる。【００３６】
端末装置３は、通常データの送信電力量と高優先データの送信電力量との和が最大送信電力量以下でない場合（ステップＳ４５否定）、すなわち最大送信電力量を超過した場合、通常データの送信電力量を低減する（ステップＳ４７）。端末装置３は、通常データの送信電力量（P  data）から低減後の送信電力量（P  data’）を差し引いた超過送信電力量Δが調整閾値Ｋ以下であるか否かを判定する（ステップＳ４８）。【００３７】
端末装置３は、超過送信電力量Δが調整閾値Ｋ以下の場合（ステップＳ４８肯定）、高優先データと、低減後の送信電力量による通常データとを送信出力し（ステップＳ４９）、図１３に示す処理動作を終了する。その結果、端末装置３は、高優先データの送信を優先しながら、通常データに割当てる送信電力量を小さくしながら、通常データも送信できるため、通常データの送信機会を確保してデータの送信効率の向上を図る。【００３８】
また、端末装置３は、超過送信電力量Δが調整閾値Ｋ以下でない場合（ステップＳ４８否定）、すなわち超過送信電力量Δが調整閾値Ｋを超えた場合、通常データの送信を保留し（ステップＳ５０）、高優先データのみを送信する（ステップＳ５１）。その結果、端末装置３は、高優先データを優先送信できる。更に、端末装置３は、通常データ送信のための無線リソース要求を送信し（ステップＳ５２）、図１３に示す処理動作を終了する。【００３９】
本実施例の端末装置３は、高優先データと通常データとの送信タイミングが完全に又は部分的に重なった場合に、調整閾値Ｋに応じて通常データの送信を行うか否かを制御する。端末装置３は、通常データの超過送信電力量Δが調整閾値Ｋ以下の場合、高優先データと通常データと同時に送信する。その結果、データの送信効率の向上を図る。つまり、送信電力に応じて制御が可能、例えば、高優先データの品質を保ちながら、通常データの送信機会を確保できる。【００４０】
また、端末装置３は、通常データの超過送信電力量Δが調整閾値Ｋを超過した場合、通常データの送信を保留しながら、高優先データを送信する。その結果、データの送信効率の向上を図る。【００４１】
また、端末装置３は、高優先データ及び通常データの送信電力量の和が最大送信電力量を超過しなかった場合、高優先データ及び通常データを同時に送信できる。【００４２】
基地局２は、ＳＩＲに対応するＭＣＳ（Modulation  and  Coding  Scheme）インデックス値毎に、端末装置３から通常データが送信可能な送信電力量の閾値を調整閾値Ｋとして決定する。基地局２は、端末装置３に適用するＭＣＳインデックス値に対応する調整閾値Ｋを当該端末装置３に送信する。その結果、基地局２は、最適な調整閾値Ｋを更新できる。なお、ＭＣＳインデックス値ごとにＫを設定せずに、ＭＣＳインデックス値間で共通のＫ値を設定してもよい。【００４３】
尚、上記実施例として高優先データとしてＵＲＬＬＣデータを例示したが、例えば、ｅＭＢＢ（Enhanced  Mobile  BroadBand）や、Ｍａｓｓｉｖｅ  ＭＴＣ（Machine  Type  Communications）でも良く、適宜変更可能である。更には、高優先のＵＲＬＬＣデータと低優先のＵＲＬＬＣデータの間に適用することも可能である。【００４４】
上記実施例では、データの送信電力量が最大送信電力量を超過しなかった場合、その送信電力量でデータを送信する。これに対し、同一優先度の複数のデータが発生し、これら複数のデータの送信電力量が最大送信電力量を超えた場合、同一の均等分配比率で送信電力量を小さくして各データを送信出力しても良く、適宜変更可能である。
【符号の説明】
【００４５】
１  無線システム
２  基地局
３  端末装置
２４  送信部
３４  測定部
４３  制御情報生成部
６１  受信部
６４  送信部
６５  送信電力制御部
【図１】
2020110267.tif 000003
【図２】
2020110267.tif 000004
【図３】
2020110267.tif 000005
【図４】
2020110267.tif 000006
【図５】
2020110267.tif 000007
【図６】
2020110267.tif 000008
【図７】
2020110267.tif 000009
【図８】
2020110267.tif 000010
【図９】
2020110267.tif 000011
【図１０】
2020110267.tif 000012
【図１１】
2020110267.tif 000013
【図１２】
2020110267.tif 000014
【図１３】
2020110267.tif 000015
【国際調査報告】
2020110267.tif 000016
2020110267.tif 000017
2020110267.tif 000018
2020110267.tif 000019
2020110267.tif 000020
2020110267.tif 000021